(57)【要約】  【課題】見栄えが格段に向上した化粧クリーム用容器を提供する。  【手段】容器は、上向きに開口した有底筒状の容器本体１と、下向きに開口したキャップ２とから成っている。容器本体１の外周は、その下部を構成する大径部４とそれより上方の部分を構成する小径部５とを備えた段違い状に形成されており、小径部５はキャップ２で覆われる。キャップ２は不透明な内蓋９と透明又は半透明の外蓋１０とからなっており、内蓋９の全体が外蓋１０で覆われている。外蓋１０のもつキラキラした輝きにより、消費者に高級感を感じさせることができる。【選択図】      図３
2005335799.tif 000002
【特許請求の範囲】
【請求項１】
上向きに開口すると共に外周に雄ねじが形成された容器本体と、この容器本体を塞ぐ下向き開口のキャップとを備えており、閉蓋状態で前記キャップの外周と容器本体の外周とが連続するようになっている容器であって、
前記キャップは、前記容器本体の雄ねじに螺合する雌ねじを有する不透明な内蓋と、内蓋の全体又は大部分を外側から覆う透明又は半透明な外蓋とが嵌合した構成になっている一方、
前記容器本体の外周は、キャップで覆われる小径部とその下方に位置した大径部とを有する段違い状に形成されている、
包装用容器。
【請求項２】
前記容器本体は、内径が全高にわたって略同じである有底筒状に形成されており、大径部の高さ寸法を小径部の高さ寸法と同じ程度かそれより小さい寸法に設定し、小径部に雄ねじ部を形成している、
請求項１に記載した包装用容器。
【発明の詳細な説明】
【技術分野】
【０００１】
本願発明は、化粧料の包装に好適な容器に関するものである。
【背景技術】
【０００２】
化粧用クリーム類を包装する容器は容器本体とねじ式のキャップとからなっていることが多く、容器本体は、内径が全高にわたって略同じの有底筒状に形成されており、容器本体の上部外周に雄ねじを形成している。このクリーム用の容器本体は、直径と高さとの比率が同じ程度か、或いは、直径よりも高さが低くなっていることが殆どである。
【０００３】
ボトルは横幅（円形の場合は直径）に比べて高さの比率が大きいが、クリーム類用容器において直径に対する高さの比率がボトルに比べて小さいのは、クリーム類は人が指ですくい取ることから、高さを高くできないからである。従って、容量が大きくなると直径に対する高さの比率は小さくなる傾向を呈する。
【０００４】
化粧料用の容器は見栄えが重要であり、商品価値を高めるため容器に美粧手段を施すことがある。クリーム用容器における従来の美粧手段の典型は、キャップの外面や容器の外面に金属膜（又は金属層）をホットスタンプ法等によって設けることである。
【０００５】
他方、美容液のような液体化粧料を包装するボトルタイプの容器において、美粧手段の一つとして、キャップを内蓋と外蓋との二重構造に構成して、外蓋をガラスや透明樹脂のような透明体製とすることが行われている。このように外蓋を透明体製にしているのは、キャップに輝き（キラメキ感）を持たせることにより、高級感をかもし出して商品価値を高めることを意図したものである。
【発明の開示】
【発明が解決しようとする課題】
【０００６】
クリーム類用容器の美粧手段として、キャップを透明体製して目立たせることが考えられる。しかし、キャップの全体を透明体製とすると容器本体のねじ部やパッキン類が透けて見えるため却ってイメージダウンを招来する虞がある。
【０００７】
他方、キャップの外蓋を透明体製とした従来のボトルタイプの容器では、キャップは容器本体よりもはるかに小さいのが普通であるため、人目に触れる面積はキャップよりも容器本体の方が遥かに大きく、このため、消費者にアピールする効果が十分でない場合があった。
【０００８】
本願発明は、このような現状を改善することを課題とするものである。
【課題を解決するための手段】
【０００９】
請求項１の発明は、上向きに開口すると共に外周に雄ねじが形成された容器本体と、この容器本体を塞ぐ下向き開口のキャップとを備えており、閉蓋状態で前記キャップの外周と容器本体の外周とが連続するようになっている容器であり、前記キャップは、前記容器本体の雄ねじに螺合する雌ねじを有する不透明な内蓋と、内蓋の全体又は大部分を外側から覆う透明又は半透明な外蓋とが嵌合した構成になっている一方、前記容器本体の外周は、キャップで覆われる小径部とその下方に位置した大径部とを有する段違い状に形成されている。
【００１０】
請求項２の発明は、請求項１において、前記容器本体は、内径が全高にわたって略同じである有底筒状に形成されており、大径部の高さ寸法を小径部の高さ寸法と同じ程度かそれより小さい寸法に設定し、小径部に雄ねじ部を形成している。
【００１１】
一般的には、キャップの外面と容器本体における大径部の外面とは滑らかに連続させるのが好ましい。また、キャップの持つキラメキ感をできるだけアピールするには容器の外観に占めるキャップの割合を大きくするのが好ましく、従って、クリーム類用容器の場合、容器本体における大径部の上下幅寸法は、開閉に際して人が掴むのに支障のない範囲内でなるべく小さい寸法に設定するのが好ましい（容器の大きさによって最適な寸法は異なるが、一般的には、５〜１５ｍｍが好適であると言える）。
【発明の効果】
【００１２】
本願発明によると、クリーム類用容器のようにキャップの外周と容器本体の外周とが連続した容器において、キャップの外面の全部又は大部分が透明体製であるため、透明な外蓋がもつキラキラとした輝きを利用した高級感を消費者に強くアピールすることができ、このため、商品価値を向上させることができる。
【００１３】
ところで、陳列状態で容器が人目に触れるのは外周面と天面とであり、天面と外周面とが容器の外観を構成しているが、請求項２のように構成すると、外観のうち天面の全体はキャップの外蓋で構成されし、また、外周面のうち少なくとも半分程度（２／３より大きいと更に好適と考えられる）は、キャップの外蓋が外観を構成するため、容器の外観の大部分をキャップの外蓋が構成することになり、このため、透明体製外蓋が持っている高級感を消費者により強くアピールすることができ、その結果、商品価値を格段に向上させることができる。
【発明を実施するための最良の形態】
【００１４】
次に、本願発明の実施形態を図面に基づいて説明する。
(1).第１実施形態（図１〜図４）
図１〜図４では第１実施形態を示している。この実施形態はクリーム状化粧料の包装容器に適用したもので、図１は閉蓋状態での正面図、図２は分離正図、図３は縦断正面図、図４のうち（Ａ）は図３のＡ−Ａ視断面図、（Ｂ）は（図３のＢ−Ｂ視拡大断面図である。
【００１５】
容器は円形タイプであり、上向きに開口した容器本体１と下向きに開口したキャップ２とを備えている。容器本体１は合成樹脂製であり、内径が全高にわたって略同じ直径（若干の抜き勾配は存在している）の胴部とその下端に一体に設けた底板３とを備えている。容器本体１の外周は、下部を構成する大径部４とそれより上方の範囲を構成する小径部５とで段違い状に形成されており、小径部５の上部に雄ねじ６を形成している。
【００１６】
大径部４と底板３との連設部には凹溝７が形成されている。これは、射出成形法によって製造するにおいて、肉厚をできるだけ均等化してヒケの発生を防止しつつ底板３をなるべく下方に配置するためである。凹溝７の箇所には一つ又は複数のリブ８を形成している。これは、キャップ２をねじ込むに際しての回り止め用である。なお、小径部５を更に段違い状に形成することも可能である。
【００１７】
キャップ２は、不透明樹脂からなる内蓋９と透明な樹脂又はガラスから成る外蓋１０とを嵌合した二重構造になっており、内蓋９の上部内面には、前記雄ねじ６に螺合する雌ねじ１１を形成している。
【００１８】
外蓋１０の外周面は、下部から上部にむけて外形が大きくなるように緩い曲率（角度）のテーパ状に形成されており、上面は緩い曲率で上向き凸状に形成されている。外蓋１０と内蓋９とを離脱不能に嵌合させる手段として、外蓋１０と内蓋９とに、回転防止用の突起１２と溝１３との対を軸心を挟んだ両側に形成し、また、回転防止用突起１２と溝１３とから９０度離れた２箇所に、弾性変形を利用した強制嵌合によって嵌まり合う抜け止め用の突起１４と溝１５の対を形成している。
【００１９】
回転防止用の突起１２と溝１３とは蓋９，１０の下端まで延びており、このため、嵌合させるに際してのガイドの役割も果たしている。また、抜け止め用の突起１４と溝１５は回転防止機能も備えている。これら突起１２，１４と溝１３，１５の配置や個数は、容器の大きさ等に応じて適宜設定したら良い。本実施形態では内蓋９に突起１２，１４を形成しているが、凹凸関係を逆にしても良い。
【００２０】
図３に示すように、内蓋９と外蓋１０とはコーナー部１６及び下部において密着しており、他の部位では若干の隙間が空いている。これは、両蓋９，１９の寸法誤差を吸収して割れや変形を招来することなく嵌合せしめるためである。
【００２１】
外蓋１０のうち溝１３，１５よりも上方の部分には段部１７が形成されている。これは、溝１３，１５を形成したことによる強度低下を防止するため、外蓋１０の下部に必要な肉厚を確保したことから生じたもので、アクセント的なデザイン上の意味もある。図１に一点鎖線で示すように外周面の全体が上端から下端まで滑らかに連続する形態とすることも可能である。容器本体１の開口部には、タブ１８を備えたシール材（中栓）１９を嵌め込んでいる。シール材１９としてはシートパッキンを使用してもよい。シール材１９は必ずしも必要ではない。
【００２２】
本願実施形態では、容器本体１の大径部４は容器全体の外周面の１／４．５程度しかない。従って、容器の外観の大部分が透明な外蓋１０で構成されており、このため容器は外蓋１０のもつキラキラした高級感に包まれ、その結果、商品価値を高めることができる。大径部４の高さ寸法は１０ｍｍ程度である。
【００２３】
容器本体１の色彩と内蓋９の色彩と外蓋１０の透明度及び色は自由に設定できる。すなわち、外蓋１０は着色なしの透明体として、内蓋９の色と容器本体の色とは同一色又は異色とする、或いは、外蓋１０は色彩付きの透明として、内蓋９の色と容器本体の色とは同一色にするか異色にする、更には、外蓋は色付きの半透明として、容器本体１及び内蓋９とも外蓋１０と同色にするなど、様々の組み合わせを採用できる。
【００２４】
容器本体１の大径部４の外周面にローレットを形成したり、ホットスタンプ等によって金属膜を形成することも可能である。また、雄ねじ６及び雌ねじ１１の高さ位置には特に限定はなく、図２に二点鎖線で示すように下部に配置することも可能である（上下中間部に配置しても良い）。
【００２５】
容器には商品名や商標、或いは装飾模様等の各種の表示が施されるが、この表示類は、内蓋９の天面又は外周面のうちいずれか一方又は両方に設ければよい。これらの表示は外蓋で保護れているため、擦られて消えることはない。この点も本願発明の特色の一つである。
【００２６】
(2).他の実施形態（図５〜図８）
図５以下では他の実施形態を示している。図５（Ａ）に示す第２実施形態では、外蓋１０の外面を逆台錐状に形成すると共に天面は僅かに凹ませている。図５（Ｂ）に示す第３実施形態では、外蓋１０は略ストレート状に形成されている（若干の抜き勾配は存在する）。図５（Ｂ）に一点鎖線４ａで示すように、容器本体１において大径部４を小径部５よりも高い高さに設定してもよい。
【００２７】
図５（Ｃ）に示す第４実施形態では、外蓋１０の外周面は下端から上端に向けて外径が大きくなるように緩い曲率で湾曲し、かつ、容器本体１における大径部４は上端から下端に向けて外径が大きくなるように緩いテーパになっている。また、美粧手段として、内蓋９の外面にホットスタンプ等によってリング状の金属膜層２０を形成している。
【００２８】
図６では第５実施形態を示している。（Ａ）は一部破断正面図、（Ｂ）は平面図である。この実施形態では、外蓋１０の上部を上窄まりテーパ部１０ａに形成し、この上窄まりテーパ部１０ａを多角形状に形成している。上窄まりテーパ部１０ａの下方は下窄まりテーパ部になっている。この実施形態は外蓋１０に一種のカット模様を付したものである。
【００２９】
図７の（Ａ）（Ｂ）は第６実施形態を示しており、（Ａ）は正面図、（Ｂ）は部分的な平面図である。この実施形態では、外蓋１０の外周面のうち下端部を除いた大部分を平面視で多角形状に形成している。この場合も、プリズム作用による光の乱反射により、キラキラとした輝きを増幅できる。外蓋１０の外周面の下端の円形部１０ａにホットスタンプ等によって金属膜層を形成しても良い。
【００３０】
図７（Ｃ）に示す第７実施形態では、キャップの上部をドーム状に形成している。図７（Ｄ）（Ｅ）では第８実施形態を示している。（Ｄ）は外蓋１０を断面表示した正面図、（Ｂ）は平面図である。この例では、内蓋９の天板と外蓋１０の天板との間に紙や樹脂等のシート２１を配置し、のシート２１に各種の表示２２を施している。シート２１は内蓋９又は外蓋１０に貼着しても良いし、単に重ねただけで良い。シート２１に表示を施さずに美粧のみの目的に使用することも可能である。
【００３１】
図８では第９実施形態を示している。（Ａ）は一部破断正面図、（Ｂ）は（Ａ）のＢ−Ｂ視断面図である。この実施形態では、内蓋９の外周面と外蓋１０の内周面とを互いに多角形（非円形）に形成することにより、両者を相対回転不能に保持している。
【００３２】
図９では、ボトルタイプの容器に適用した第１０実施形態を示している。この実施形態では、容器本体１は胴部１ａとそれより小径の口部１ａとを備えており、口部１ｂに雄ねじが形成されている。また、胴部１ａはその上部を構成する小径部５とそれより下方の大径部４とからなっており、小径部５にキャップ２が嵌まり込んでいる。内蓋９には口部ｂにねじ込まれる内筒９ａを形成している。
【００３３】
(3).その他
本願発明は上記の実施形態の他にも様々に具体化できる。例えば、外蓋に模様を付すことも可能である。また、用途は化粧料の包装に限定されないことは言うまでもない。
【図面の簡単な説明】
【００３４】
【図１】第１実施形態を示す図で、閉蓋状態での正面図である。
【図２】第１実施形態の分離正図である。
【図３】第１実施形態の縦断正面図である。
【図４】図３のＡ−Ａ視及びＢ−Ｂ視拡大断面図である。
【図５】第２〜第４実施形態を示す図である。
【図６】第５実施形態を示す図である。
【図７】第６〜８実施形態を示す図である。
【図８】第９実施形態を示す図である。
【図９】第１０実施形態を示す図である。
【符号の説明】
【００３５】
１  容器本体
２  キャップ
４  容器本体の大径部
５  容器本体の小径部
６  雄ねじ
９  内蓋
１０  外蓋
１１  雌ねじ
【図１】
2005335799.tif 000003
【図３】
2005335799.tif 000004
【図４】
2005335799.tif 000005
【図５】
2005335799.tif 000006
【図６】
2005335799.tif 000007
【図７】
2005335799.tif 000008
【図８】
2005335799.tif 000009
【図９】
2005335799.tif 000010
【図２】
2005335799.tif 000011